(57)【要約】【課題】多板式の撮像装置においてより良好な画質を得ることができる撮像装置、及び撮像方法を提供する。【解決手段】  Ｙ信号生成回路１３に、ゲイン調整回路１２での利得調整後のＲＧＢ信号から輝度信号を生成させる。ＡＥ露光時間制御回路１５に、輝度信号に応じたＧ用ＣＣＤ４の露光時間ｔｇを計算させる。ＲＧＢ積算回路１４に、ＲＧＢ毎の撮像信号の値を積算させる。その積算値ΣＲ，ΣＧ，ΣＢの比率と露光時間ｔｇとに基づき、露光時間制御回路１６に、ＲＧＢ別に撮像信号のレベルを一致させるためのＲ用ＣＣＤ３の露光時間ｔｒ、Ｂ用ＣＣＤ５の露光時間ｔｂを計算させる。駆動回路６，７，８に、計算された露光時間ｔｒ，ｔｇ，ｔｂに応じた駆動信号により各ＣＣＤ３，４，５を駆動させる。ＲＧＢ毎の撮像信号のレベル比率に応じたＲＧＢ別の露光時間制御により、特定の色成分に劣化を生じさせることなくホワイトバランスを調整することができる。【選択図】      図１
2007082023.tif 000002
【特許請求の範囲】
【請求項１】
分光された光を色毎に電荷に変換する複数の固体撮像素子を備えた撮像装置において、
前記複数の固体撮像素子から出力される色別の画像信号のレベル比率に基づき、前記複数の固体撮像素子の相互間における電荷蓄積時間の比率を制御することにより、前記色別の画像信号のレベル比率を調整する制御手段を備えたことを特徴とする撮像装置。
【請求項２】
前記制御手段は、前記色別の画像信号に基づく画像のホワイトバランス調整に際して、前記複数の固体撮像素子の相互間における電荷蓄積時間の比率を制御することを特徴とする請求項１記載の撮像装置。
【請求項３】
複数の固体撮像素子にはＲＧＢの各色の光を電荷に変換する固体撮像素子が含まれ、
前記制御手段は、被写体の明るさに応じてＧ色用の固体撮像素子の電荷蓄積時間を制御する露出制御手段を含み、この露出制御手段により制御するＧ色用の固体撮像素子の電荷蓄積時間を基準として、Ｒ色用及びＢ色用の固体撮像素子の電荷蓄積時間を制御する
ことを特徴とする請求項１又は２記載のホワイトバランス調整装置。
【請求項４】
前記色別の画像信号を個別に増幅する複数の増幅手段と、
この複数の増幅手段の相互間における利得の比率を、前記制御手段により制御される前記複数の固体撮像素子の相互間における電荷蓄積時間の比率に応じた所定の比率に制御することにより、前記複数の増幅手段による増幅後の色別の画像信号のレベル比率を調整する利得制御手段と
を備えたことを特徴とする請求項１，２又は３記載の撮像装置。
【請求項５】
前記複数の固体撮像素子への入射光量を個別に調整する複数の光量調整手段と、
この複数の光量調整手段により調整される入射光量の相互間における比率を、前記制御手段により制御される前記複数の固体撮像素子の相互間における電荷蓄積時間の比率に応じた所定の比率に制御することにより、前記色別の画像信号のレベル比率を調整する入射光量制御手段と
を備えたことを特徴とする請求項１，２又は３記載の撮像装置。
【請求項６】
分光された光を色毎に電荷に変換する複数の固体撮像素子を備えた撮像装置において、
前記複数の固体撮像素子への入射光量を個別に調整する複数の光量調整手段と、
前記複数の固体撮像素子から出力される色別の画像信号のレベル比率に基づき、前記複数の光量調整手段により調整される入射光量の相互間における比率を制御することにより、前記色別の画像信号のレベル比率を調整する制御手段と
を備えたことを特徴とする撮像装置。
【請求項７】
分光された光を色毎に電荷に変換する複数の固体撮像素子を備えた撮像装置における撮像方法であって、
複数の固体撮像素子からそれぞれ出力される色別の画像信号のレベル比率に基づき、複数の固体撮像素子の各々の電荷蓄積時間を決定する工程と、
前記複数の固体撮像素子の電荷蓄積時間を前記決定された各々の電荷蓄積時間に制御することにより、前記色別の画像信号のレベル比率を調整する工程と
を含むことを特徴とする撮像方法。
【発明の詳細な説明】
【技術分野】
【０００１】
本発明は、多板式の撮像装置、及び撮像方法に関するものである。
【背景技術】
【０００２】
従来、デジタルカメラやデジタルビデオカメラ等の撮像装置においては、撮像した画像のホワイトバランスを自動的に調整するオートホワイトバランス機能（ＡＷＢ）を備えたものが一般的である。デジタルカメラ等におけるホワイトバランス調整は、例えば下記特許文献１に記載されているように、ＣＣＤやＣＭＯＳセンサ等の固体撮像素子から出力される撮像信号をＲＧＢの色成分に分離した後、ＲＧＢ毎に設けたアンプの増幅率を、各色成分の比率を同一とすることを基本として個別に調整するゲイン制御によって行われるのが一般的である。また、係る方法は、単一の固体撮像素子を用いてカラー情報を取得する単板式の撮像装置に限らず、複数の固体撮像素子を用いて多板式（３板式等）の撮像装置においても同様である。
【特許文献１】特開平１１−２８９５４７号公報
【発明の開示】
【発明が解決しようとする課題】
【０００３】
しかしながら、前述したゲイン制御によるホワイトバランス調整では、例えば撮影時の光源が蛍光灯や、昼光のうちの日陰である場合には、撮像信号にはＲ成分が少ないため、Ｒ成分の利得をＧ成分やＢ成分の利得よりも大きくすることとなる。これは上記撮影光の下で撮像される画像におけるＲ成分のＳ／Ｎ比を劣化させ、画像内における赤や肌色の部分等のノイズを増大させることを意味する。係る問題は、単板式と比べて感度、解像度、色調に優れ、ダイナミックレンジが広く、色解像度が高い等の利点を有する多板式の撮像装置においても同様であった。
【０００４】
本発明は、かかる従来の課題に鑑みてなされたものであり、多板式の撮像装置においてより良好な画質を得ることができる撮像装置、及び撮像方法を提供することを目的とする。
【課題を解決するための手段】
【０００５】
前記課題を解決するため請求項１の発明にあっては、分光された光を色毎に電荷に変換する複数の固体撮像素子を備えた撮像装置において、前記複数の固体撮像素子から出力される色別の画像信号のレベル比率に基づき、前記複数の固体撮像素子の相互間における電荷蓄積時間の比率を制御することにより、前記色別の画像信号のレベル比率を調整する制御手段を備えたものとした。
【０００６】
かかる構成においては、前記色別の画像信号のレベル比率が、それに基づく複数の固体撮像素子における電荷蓄積時間の比率の制御によって調整されることにより、特定の色成分のＳ／Ｎ比を低下させることなく画像の色調整を行うことができる。
【０００７】
また、請求項２の発明にあっては、前記制御手段は、前記色別の画像信号に基づく画像のホワイトバランス調整に際して、前記複数の固体撮像素子の相互間における電荷蓄積時間の比率を制御するものとした。
【０００８】
かかる構成においては、色別の画像信号のレベル比率が、それに基づく複数の固体撮像素子における電荷蓄積時間の比率の制御によって調整されることにより、特定の色成分のＳ／Ｎ比を低下させることなく画像のホワイトバランス調整を行うことができる。
【０００９】
また、請求項３の発明にあっては、複数の固体撮像素子にはＲＧＢの各色の光を電荷に変換する固体撮像素子が含まれ、前記制御手段は、被写体の明るさに応じてＧ色用の固体撮像素子の電荷蓄積時間を制御する露出制御手段を含み、この露出制御手段により制御するＧ色用の固体撮像素子の電荷蓄積時間を基準として、Ｒ色用及びＢ色用の固体撮像素子の電荷蓄積時間を制御するものとした。
【００１０】
また、請求項４の発明にあっては、前記色別の画像信号を個別に増幅する複数の増幅手段と、この複数の増幅手段の相互間における利得の比率を、前記制御手段により制御される前記複数の固体撮像素子の相互間における電荷蓄積時間の比率に応じた所定の比率に制御することにより、前記複数の増幅手段による増幅後の色別の画像信号のレベル比率を調整する利得制御手段とを備えたものとした。
【００１１】
かかる構成においては、前記色別の画像信号のレベル比率が、それに基づく複数の固体撮像素子における電荷蓄積時間の比率と、それらに対応する色別の増幅手段の利得の比率との双方の制御によって調整されることにより、特定の色成分のＳ／Ｎ比を低下をごく僅かなものに抑えながら画像の色調整を行うことができる。
【００１２】
また、請求項５の発明にあっては、前記複数の固体撮像素子への入射光量を個別に調整する複数の光量調整手段と、この複数の光量調整手段により調整される入射光量の相互間における比率を、前記制御手段により制御される前記複数の固体撮像素子の相互間における電荷蓄積時間の比率に応じた所定の比率に制御することにより、前記色別の画像信号のレベル比率を調整する入射光量制御手段とを備えたものとした。
【００１３】
かかる構成においては、前記色別の画像信号のレベル比率が、それに基づく複数の固体撮像素子における電荷蓄積時間の比率と、それらに対応する色別の入射光量の比率との双方の制御によって調整されることにより、特定の色成分のＳ／Ｎ比を低下させることなく画像の色調整を行うことができる。
【００１４】
また、請求項６の発明にあっては、分光された光を色毎に電荷に変換する複数の固体撮像素子を備えた撮像装置において、前記複数の固体撮像素子への入射光量を個別に調整する複数の光量調整手段と、前記複数の固体撮像素子から出力される色別の画像信号のレベル比率に基づき、前記複数の光量調整手段により調整される入射光量の相互間における比率を制御することにより、前記色別の画像信号のレベル比率を調整する制御手段とを備えたものとした。
【００１５】
かかる構成においては、前記色別の画像信号のレベル比率が、それに基づく複数の光量調整手段により調整される入射光量の相互間における比率の制御によって調整されることにより、特定の色成分のＳ／Ｎ比を低下させることなく画像の色調整を行うことができる。
【００１６】
また、請求項７の発明にあっては、分光された光を色毎に電荷に変換する複数の固体撮像素子を備えた撮像装置における撮像方法であって、複数の固体撮像素子からそれぞれ出力される色別の画像信号のレベル比率に基づき、複数の固体撮像素子の各々の電荷蓄積時間を決定する工程と、前記複数の固体撮像素子の電荷蓄積時間を前記決定された各々の電荷蓄積時間に制御することにより、前記色別の画像信号のレベル比率を調整する工程とを含む方法とした。
【００１７】
かかる方法によれば、前記色別の画像信号のレベル比率が、それに基づく複数の固体撮像素子における電荷蓄積時間の比率の制御によって調整されることにより、特定の色成分のＳ／Ｎ比を低下させることなく画像の色調整を行うことができる。
ができる。
【発明の効果】
【００１８】
以上のように本発明においては、特定の色成分のＳ／Ｎ比を低下させることなく画像の色調整を行うことができる。よって、多板式の撮像装置においてより良好な画質を得ることができるホワイトバランス調整が可能となる。
【００１９】
また、特定の色成分のＳ／Ｎ比を低下させることなく画像のホワイトバランス調整を行うことができるようにした。よって、多板式の撮像装置においてより良好な画質を得ることができるホワイトバランス調整が可能となる。
【００２０】
また、特定の色成分のＳ／Ｎ比の低下をごく僅かなものに抑えながら画像の色調整を行うことができるようにした。よって、多板式の撮像装置においてより良好な画質を得ることができるホワイトバランス調整が可能となる。
【発明を実施するための最良の形態】
【００２１】
以下、本発明の一実施の形態を図にしたがって説明する。図１は、本発明に係るホワイトバランス調整装置を含む撮像装置１の要部を示すブロック図である。
【００２２】
すなわち撮像装置１は、撮像レンズ、及び撮像レンズからの入射光をＲＧＢ（３原色）の光に分解するダイクロイックプリズム等からなる光学系２と、分解された色別の光を電荷に変換し撮像信号としてそれぞれ出力するＲ用ＣＣＤ（ＣＣＤ−Ｒ）３、Ｇ用ＣＣＤ（ＣＣＤ−Ｇ）４、Ｂ用ＣＣＤ（ＣＣＤ−Ｂ）５を備えている。各ＣＣＤ３，４，５は、Ｒ用駆動回路６、Ｇ用駆動回路７、Ｂ用駆動回路８にそれぞれ接続されており、各駆動回路６，７，８によって駆動される。
【００２３】
各ＣＣＤ３，４，５から出力された撮像信号は、色成分別のＣＤＳ（Correlated Double Sampling）／ＡＤＣ（analog-to-digital conversion）回路９，１０，１１によって個別にデジタル信号に変換された後、ゲイン調整回路１２に出力される。ゲイン調整回路１２は、色成分別のＲアンプ１２ａ、Ｇアンプ１２ｂ、Ｂアンプ１２ｃを備えており、撮像信号の利得を感度（ＩＳＯ感度等）の設定値に応じて色成分毎に調整し、Ｙ信号生成回路１３、ＲＧＢ積算回路１４へそれぞれ出力する。なお、利得調整後の色成分毎の撮像信号は図外の他の信号処理回路へも出力される。
【００２４】
Ｙ信号生成回路１３は、Ｒ，Ｇ，Ｂの撮像信号から輝度（Ｙ）信号を生成し、ＡＥ露光時間制御回路１５へ出力する。ＡＥ露光時間制御回路１５は、後述する露光時間制御回路１６と共に本発明の制御手段を構成するとともに、本発明の露出制御手段として機能する部分であり、輝度信号の値（ここでは、０〜２５５）を適正な値（例えば１１０等）とするのに必要なＧ用ＣＣＤ４の電荷蓄積時間（露光時間）ｔｇを算出し、その結果を露光時間制御回路１６へ送るとともに、それを示す制御信号をＧ用駆動回路７へ送る。
【００２５】
ＲＧＢ積算回路１４は、Ｒ，Ｇ，Ｂの撮像信号から各撮像信号の値を積算し、その積算値ΣＲ，ΣＧ，ΣＢを前記露光時間制御回路１６へ出力する。露光時間制御回路１６は、色成分毎の撮像信号の積算値ΣＲ，ΣＧ，ΣＢと、Ｇ用ＣＣＤ４の電荷蓄積時間ｔｇとに基づき、下記式
ｔｒ ＝ ｔｇ × ΣＧ ／ ΣＲ
ｔｂ ＝ ｔｇ × ΣＧ ／ ΣＢ
から、Ｒ用ＣＣＤ３の電荷蓄積時間ｔｒ、及びＢ用ＣＣＤ５の電荷蓄積時間ｔｂを算出し、それを示す制御信号をＲ用駆動回路６とＢ用駆動回路８とにそれぞれ送る。
【００２６】
そして、前記Ｇ用駆動回路７は、ＡＥ露光時間制御回路１５から送られた制御信号に基づきＧ用ＣＣＤ４を駆動し、また前記Ｒ用駆動回路６及び前記Ｂ用駆動回路８は、露光時間制御回路１６から送られた制御信号に基づきＲ用ＣＣＤ３及びＢ用ＣＣＤ５を駆動する。
【００２７】
具体的には、各駆動回路６，７，８は、図２に示したように１フレーム（３０ｍｓ）毎に前述した制御信号（電荷蓄積時間ｔｒ，ｔｇ，ｔｂ）に応じたＳＵＢ（掃出しパルス）信号とＳＧ（読み出しパルス）信号とからなる駆動信号を各ＣＣＤ３，４，５へ供給する。そして、上記駆動信号により駆動されることにより、各ＣＣＤ３，４，５の電荷蓄積時間ｔｒ，ｔｇ，ｔｂが、ゲイン調整回路１２から出力された利得調整後における色成分毎の撮像信号の積算値ΣＲ，ΣＧ，ΣＢを一致させるための時間に制御される。
【００２８】
例えば、ＲＧＢ積算回路１４から出力された色成分毎の撮像信号の積算値ΣＲ，ΣＧ，ΣＢがそれぞれ
ΣＲ ＝ １００
ΣＧ ＝ ２００
ΣＢ ＝ ８０
であって、そのときＡＥ露光時間制御回路１５で求められたＧ用ＣＣＤ４の電荷蓄積時間ｔｇが１０ｍｓであるときには、Ｒ用ＣＣＤ３とＢ用ＣＣＤ５との電荷蓄積時間ｔｒ，ｔｂがそれぞれ
ｔｒ ＝ ２０ｍｓ
ｔｂ ＝ ２５ｍｓ
に制御される。
【００２９】
つまり、撮像動作時、例えばデジタルカメラであれば、スルー画像を表示する画像の撮像時や、ユーザの操作に応じた記録用の静止画の撮影時、またデジタルカメラやデジタルビデオカメラにおいて動画像を構成するフレーム画像の撮像時には、ゲイン調整回路１２から出力された利得調整後における色成分毎の撮像信号のレベル比率に基づき、各ＣＣＤ３，４，５の電荷蓄積時間の相互間における比率が制御されることにより、他の信号処理を経て生成される画像のホワイトバランスが確保される。
【００３０】
以上のように本実施の形態においては、ゲイン調整回路１２から出力された利得調整後における色成分毎の撮像信号の積算値ΣＲ，ΣＧ，ΣＢの比率（レベル比率）に基づき、各ＣＣＤ３，４，５の電荷蓄積時間ｔｒ，ｔｇ，ｔｂが、積算値ΣＲ，ΣＧ，ΣＢを一致させる時間に制御（フィードバック制御）されることにより、撮像した画像のホワイトバランスが確保される。したがって、ホワイトバランス調整に際して、ゲイン調整回路１２の各アンプの１２ａ，１２ｂ，１２ｃの増幅率の調整によるゲイン制御を行う場合に生ずる特定の色成分のＳ／Ｎ比の低下、例えば光源が蛍光灯や、昼光のうちの日陰である場合におけるＲ成分のＳ／Ｎ比の低下がなく、より良好な画質の画像を得ることができる。
【００３１】
なお、本実施の形態では、前述したＲ，Ｇ，Ｂ用の各駆動回路６,７，８が駆動信号としてＳＵＢ信号の次にＳＧ信号を出力するものである場合について説明したが、駆動回路６，７，８はＳＧ信号の次にＳＵＢ信号を出力するものであっても構わない。
【００３２】
また、本実施の形態では、ＡＥ露光時間制御回路１５によって、Ｙ信号生成回路１３により生成された輝度信号に基づきＧ用ＣＣＤ４の電荷蓄積時間が決定、及び制御され、かつ露光時間制御回路１６によって、その電荷蓄積時間（ｔｇ）を基準としてＲ用ＣＣＤ３とＢ用ＣＣＤ５との電荷蓄積時間ｔｒ，ｔｂが決定、及び制御されるものについて説明したが、これに限らず次のような構成としてもよい。
【００３３】
例えば、上記輝度信号に基づき、全てのＣＣＤ３，４，５の基準となる電荷蓄積時間を計算する第１の回路と、ＲＧＢ積算回路１４で積算されたＲ，Ｇ，Ｂの各撮像信号の積算値ΣＲ，ΣＧ，ΣＢに基づき、それらを一致させるための各ＣＣＤ３，４，５の電荷蓄積時間の比率を計算する第２の回路と、第１の回路で計算された電荷蓄積時間と、第２の回路で計算された比率とに基づき各ＣＣＤ３，４，５の電荷蓄積時間を個別に決定、及び制御する第３の回路とを設けてもよい。
【００３４】
また、いずれの場合においても、撮像装置が、被写体の明るさを光センサ等により別途検出可能な構成であれば、光センサ等における検出結果に基づき前記ＡＥ露光時間制御回路１５や前記第１の回路に前述した計算を行わせるようにしてもよい。
【００３５】
さらに、本実施の形態では、各ＣＣＤ３，４，５の電荷蓄積時間の相互間における比率を制御するだけで、ゲイン調整回路１２から出力された利得調整後の色成分毎の撮像信号から、他の信号処理を経て生成される画像のホワイトバランスを確保するものについて説明したが、以下のような構成とすることもできる。
【００３６】
例えば図１に示した構成に加えて、前記ゲイン調整回路１２の各アンプの１２ａ，１２ｂ，１２ｃの増幅率を個別に調整するゲイン調整回路を設け、各ＣＣＤ３，４，５における電荷蓄積時間の比率制御と、従来のようにゲイン調整回路１２の各アンプの１２ａ，１２ｂ，１２ｃの増幅率の調整によるゲイン制御を並行して行うことにより、ゲイン調整回路１２から出力された利得調整後における色成分毎の撮像信号の積算値ΣＲ，ΣＧ，ΣＢを一致させるものとしてもよい。その場合には、各ＣＣＤ３，４，５における電荷蓄積時間を基準として各アンプの１２ａ，１２ｂ，１２ｃの増幅率を制御したり、逆に各アンプの１２ａ，１２ｂ，１２ｃの増幅率を基準として電荷蓄積時間を制御したりする構成とすればよい。
【００３７】
係る構成においても、ゲイン制御のみによるホワイトバランス調整を行う場合に比べると、それによる画質の劣化をごく僅かなものとすることができ、より良好な画質の画像を得ることができる。特に、電荷蓄積時間を基準として各アンプの１２ａ，１２ｂ，１２ｃの増幅率を制御するものでは、予め各ＣＣＤ３，４，５の電荷蓄積時間を決めるとき、相互間における最大の時間差に上限を設けておけば、動きの速い被写体を撮像するときに予想される、特定の色成分の画像と他の色成分の画像との位置ずれによる画質の低下をも未然に防止することができる。
【００３８】
また、上述したものとは異なり、例えば図１に示した構成に加え、前記光学系２とＲ，Ｇ，Ｂ用の各ＣＣＤ３，４，５との間にそれぞれ位置して、光学系２で分解された各色の入射光の量を調整する光量調整手段（絞り等）と、各光量調整手段によって調整される各ＣＣＤ３，４，５への入射光量を制御する入射光量制御回路とを設け、前述した各ＣＣＤ３，４，５における電荷蓄積時間の比率制御に代えて、前記入射光量制御回路に、前記ゲイン調整回路１２から出力された利得調整後における色成分毎の撮像信号のレベル比率に基づき各ＣＣＤ３，４，５への入射光量の比率を制御させるようにしてもよい。
【００３９】
その場合においても、本実施の形態と同様、ホワイトバランス調整に際して、ゲイン調整回路１２の各アンプの１２ａ，１２ｂ，１２ｃの増幅率の調整によるゲイン制御を行う場合に生ずる特定の色成分のＳ／Ｎ比の低下がなく、より良好な画質の画像を得ることができる。
【００４０】
さらに、前記ゲイン調整回路１２から出力された利得調整後における色成分毎の撮像信号のレベル比率に基づき、各ＣＣＤ３，４，５における電荷蓄積時間の比率制御と並行して、各ＣＣＤ３，４，５への入射光量の比率を制御するものとしてもよい。すなわち各ＣＣＤ３，４，５における電荷蓄積時間と、前記光量調整手段による各ＣＣＤ３，４，５への入射光量によって決まる色別の露光量を制御することにより、ゲイン調整回路１２から出力された利得調整後における色成分毎の撮像信号の積算値ΣＲ，ΣＧ，ΣＢを一致させるものとしてもよい。その場合には、各ＣＣＤ３，４，５における電荷蓄積時間を基準として各ＣＣＤ３，４，５への入射光量を制御したり、逆に各ＣＣＤ３，４，５への入射光量を基準として電荷蓄積時間を制御したりする構成とすればよい。
【００４１】
係る構成においても、ホワイトバランス調整に際して、ゲイン調整回路１２の各アンプの１２ａ，１２ｂ，１２ｃの増幅率の調整によるゲイン制御を行う場合に生ずる特定の色成分のＳ／Ｎ比の低下、例えば光源が蛍光灯や、昼光のうちの日陰である場合におけるＲ成分のＳ／Ｎ比の低下がなく、より良好な画質の画像を得ることができる。特に、電荷蓄積時間を基準として各ＣＣＤ３，４，５への入射光量を制御するものでは、予め各ＣＣＤ３，４，５の電荷蓄積時間を決めるとき、相互間における最大の時間差に上限を設けておけば、動きの速い被写体を撮像するときに予想される、特定の色成分の画像と他の色成分の画像との位置ずれによる画質の低下を未然に防止することができる。
【００４２】
また、以上の説明では、本発明を、入射光をＲＧＢの光に分解し、３つのＣＣＤ３，４，５によって被写体のカラー画像を撮像する３板式の撮像装置に本発明を適用する場合について述べたが、撮像素子としてＣＭＯＳセンサを用いたものにも本発明は適用することができる。また、本発明は３板式の撮像装置に限らず、例えばＲ，Ｇ，Ｂ用に加え、Ｗ（白色）用のＣＣＤを備えたものや、Ｇ用のＣＣＤを２つ備えたもの（Ｒ，Ｇ１，Ｇ２，Ｂ）や、さらにＹｅ，Ｍｇ，Ｇ，Ｃｙ用のＣＣＤを備えた４板式等の撮像装置にも適用することができる。
【００４３】
また、ダイクロイックプリズム等により入射光をＲＧＢの光に分解して色成分別の撮像信号を得る撮像装置に本発明を適用する場合について述べたが、前記光学系２においては単に分光のみを行い、各ＣＣＤ３，４，５上に色フィルタを設けることによって色成分別の撮像信号を得る構成の撮像装置にも本発明は適用することができる。
【００４４】
ここで、以上の説明においては、主として撮像時におけるホワイトバランス調整に本発明を適用する場合について述べたが、これに限らず本発明は、撮像装置において撮像する画像の特定の色成分を強調する場合、例えば撮像画像にカラーフィルタ効果を施す際にも適用することができる。一例を述べると、図２に示したＲ用ＣＣＤ３の電荷蓄積時間を２０ｍｓでなく３０ｍｓに増やせば赤を強調することができ、赤色フィルタ効果を得ることができる。その場合、強調される特定の色成分のＳ／Ｎ比を低下させることなく、より良好な画質の画像を得ることができる。
【００４５】
また、上記のように画像の特定の色成分を強調する場合においても、前述したように各ＣＣＤ３，４，５の電荷蓄積時間の制御に代えて、撮像信号の色別のゲイン制御や各ＣＣＤ３，４，５への入射光量の制御のみを実施したり、電荷蓄積時間の制御と並行して入射光量の制御を実施したりしてもよい。
【図面の簡単な説明】
【００４６】
【図１】本発明に係る撮像装置の要部を示すブロック図である。
【図２】Ｒ，Ｇ，Ｂ用の各ＣＣＤに供給される駆動信号を示すタイミングチャートである。
【符号の説明】
【００４７】
１    撮像装置
２    光学系
３    Ｒ用ＣＣＤ
４    Ｇ用ＣＣＤ
５    Ｂ用ＣＣＤ
６    Ｒ用駆動回路
７    Ｇ用駆動回路
８    Ｂ用駆動回路
９，１０，１１    ＣＤＳ／ＡＤＣ回路
１２    ゲイン調整回路
１２ａ    Ｒアンプ
１２ｂ    Ｇアンプ
１２ｃ    Ｂアンプ
１３    Ｙ信号生成回路
１４    ＲＧＢ積算回路
１５    ＡＥ露光時間制御回路
１６    露光時間制御回路
【図１】
2007082023.tif 000003
【図２】
2007082023.tif 000004